(57)【要約】【課題】本発明は振動防止のスマホスタンドを開示した。【解決手段】左右対称的に設置されたスタンドを含み、右側の前記スタンドの中にはねじ孔が貫通するように設置され、前記ねじ孔の中にはスクリューがネジ山によって連結され、前記スクリューの左端が左側の前記スタンドに回転できるように連結され、前記スクリューの右端が前記ねじ孔を通し抜け、また前記スクリューの右端には回転ブロックが固定的に連結され、前記スタンドのうち対称中心から離れている端面には支持ブロックが固定的に設置され、前記支持ブロックの中にはスライドガイド装置と挟み装置とが設置され、本発明は構造が簡単であり、操作が便利であり、本発明の装置は携帯電話をぶつけないように保護できるだけではなく、振幅の大小によって二つの方法を通して振動を抑えることができ、また横倒しも防止できる。【選択図】図１
2020178332.tif 000002
【特許請求の範囲】
【請求項１】
正面視で、左右対称的に設置されたスタンドを含み、右側の前記スタンドの中にはねじ孔が貫通するように設置され、前記ねじ孔の中にはスクリューがネジ山によって連結され、前記スクリューの左端が左側の前記スタンドに回転できるように連結され、前記スクリューの右端が前記ねじ孔を通し抜け、また前記スクリューの右端には回転ブロックが固定的に連結され、前記スタンドのうち対称中心から離れている端面には支持ブロックが固定的に設置され、前記支持ブロックの中にはスライドガイド装置と挟み装置とが設置され、前記スタンドの中には後方に開口した収納チャンバが設置され、前記収納チャンバの中には伸縮装置が設置され、前記収納チャンバの左右両側内壁の中には振動抑え装置が設置され、前記スライドガイド装置は前記支持ブロックの中に設置され、且つ向かい合って開口したスライドガイドチャンバを含み、前記スライドガイドチャンバの上下両側内壁の間には二本のスライドガイドロッドが固定的に連結され、二本の前記スライドガイドロッドの間には十三個のローラーが排列され、且つ回転できるように設置され、前記ローラーの間は隙間がなく、また前記ローラーが前記スライドガイドチャンバの上下両側内壁と当接しており、前記スライドガイドロッドには前記挟み装置が設置され、前記挟み装置は前記スライドガイドチャンバの中にスライドできるように設置された挟みブロックを含み、前記挟みブロックの中にはスライドガイド孔が上下に貫通するように設置され、前記スライドガイドロッドと前記ローラーとが前記スライドガイド孔を通し抜け、前記ローラーの左右両端がそれぞれ前記スライドガイド孔の左右両側内壁と当接しており、前記挟みブロックの中には向かい合って開口した挟み溝が設置され、前記挟み溝の内壁の中には保護膜が固定的に設置され、前記挟みブロックの上端と前記スライドガイドチャンバの上側内壁との間にはサブばねが固定的に連結され、前記挟みブロックの下端と前記スライドガイドチャンバの下側内壁との間には緩衝ばねが固定的に連結されたことを特徴とする振動防止のスマホスタンド。
【請求項２】
前記伸縮装置は前記収納チャンバの下側の左右両側内壁の間に固定的に連結された固定軸を含み、前記固定軸には揺動ロッドが回転できるように連結され、前記揺動ロッドの中には固定軸穴が左右に貫通するように設置され、前記固定軸が前記固定軸穴を通し抜け、前記揺動ロッドの中には連結溝が上下に貫通しており、且つその開口が前記固定軸から離れるように設置され、前記連結溝の左右両側内壁の間には回転軸が回転できるように連結され、前記回転軸には連結ロッドが回転できるように連結され、前記連結ロッドの中には回転軸穴が左右に貫通するように設置され、前記回転軸が前記回転軸穴を通し抜け、前記連結溝の左右両側内壁と前記連結ロッドの左右両端との間にはトーションばねが固定的に連結され、前記連結ロッドの中には伸縮チャンバが設置され、前記伸縮チャンバのうち前記回転軸から離れている側の内壁の中には位置制限穴が連通するように設置され、前記位置制限穴の後裏側内壁の中には延伸溝が連通するように設置され、前記延伸溝が前記連結ロッドに上下に貫通しており、且つ前記延伸溝の開口が前記伸縮チャンバから離れており、前記伸縮チャンバの中には位置制限ブロックがスライドできるように設置され、前記位置制限ブロックの後端には伸縮ロッドが固定的に連結され、前記伸縮ロッドが前記位置制限穴を通し抜け、前記伸縮ロッドの中には上下に貫通しており、且つ開口が前記伸縮チャンバから離れている揺動溝が設置され、前記揺動溝の左右両側内壁の間には揺動軸が固定的に連結され、前記揺動軸には支持ロッドが回転できるように連結され、前記支持ロッドの中には左右に貫通している揺動軸穴が設置され、前記揺動軸が前記揺動軸穴を通し抜け、前記支持ロッドの上端が前記収納チャンバの中に伸びており、且つ前記振動抑え装置に連結されたことを特徴とする請求項１に記載の振動防止のスマホスタンド。
【請求項３】
前記振動抑え装置は前記収納チャンバの左右両側内壁の中に左右対称的に、且つ連通するように設置された振動抑えチャンバを含み、前記振動抑えチャンバの上下両側内壁の間にはガイドロッドが固定的に連結され、前記ガイドロッドの間には振動抑えロッドがスライドできるように連結され、前記振動抑えロッドの中にはガイド穴が上下に貫通するように設置され、前記ガイドロッドが前記ガイド穴を通し抜け、前記振動抑えチャンバの下側内壁と前記ガイド穴の下端との間には振動抑えばねが固定的に連結され、前記支持ロッドの上端が前記振動抑えロッドに回転できるように連結され、前記支持ロッドの中には振動抑えロッドチャンバが左右に貫通するように設置され、前記振動抑えロッドが前記振動抑えロッドチャンバを通し抜けていることを特徴とする請求項１又は請求項２又は請求項３に記載の振動防止のスマホスタンド。
【請求項４】
前記スタンドの下端には大摩擦パッドが固定的に連結され、前記大摩擦パッドの中には上方へ開口しており、且つ左右両側に貫通している保護溝が設置され、前記支持ロッドの下端には小摩擦パッドが固定的に連結され、前記大摩擦パッドの摩擦係数が前記小摩擦パッドの摩擦係数より大きいことを特徴とする請求項１又は請求項２又は請求項３又は請求項４に記載の振動防止のスマホスタンド。
【発明の詳細な説明】
【技術分野】
【０００１】
本発明はスマホスタンド分野に関わり、具体的には振動防止のスマホスタンドである。
【背景技術】
【０００２】
携帯電話の使用はますます頻繁になり、使える場合もますます増え、車に乗って携帯電話をいじる時、車両の揺れ動くのために携帯電話の使用に影響を与え、こういう時には異なる振幅に適応できる振動防止のスマホスタンドを設計する必要があり、本発明の装置は二つの方法によって振動を抑えて携帯電話を正常に使える。
【先行技術文献】
【特許文献】
【０００３】
【特許文献１】中国特許出願公開第１０９１９４７９８号明細書
【発明の概要】
【発明が解決しようとする課題】
【０００４】
本発明は振動防止のスマホスタンドを提供し、既存技術にある上記の欠点を解消することを目的とする。
【課題を解決するための手段】
【０００５】
上記の目的を実現するため、本発明は以下の技術プランを提供する：本発明の振動防止のスマホスタンドは、左右対称的に設置されたスタンドを含み、右側の前記スタンドの中にはねじ孔が貫通するように設置され、前記ねじ孔の中にはスクリューがネジ山によって連結され、前記スクリューの左端が左側の前記スタンドに回転できるように連結され、前記スクリューの右端が前記ねじ孔を通し抜け、また前記スクリューの右端には回転ブロックが固定的に連結され、前記スタンドのうち対称中心から離れている端面には支持ブロックが固定的に設置され、前記支持ブロックの中にはスライドガイド装置と挟み装置とが設置され、前記スタンドの中には後方に開口した収納チャンバが設置され、前記収納チャンバの中には伸縮装置が設置され、前記収納チャンバの左右両側内壁の中には振動抑え装置が設置され、前記スライドガイド装置は前記支持ブロックの中に設置され、且つ向かい合って開口したスライドガイドチャンバを含み、前記スライドガイドチャンバの上下両側内壁の間には二本のスライドガイドロッドが固定的に連結され、二本の前記スライドガイドロッドの間には十三個のローラーが排列され、且つ回転できるように設置され、前記ローラーの間は隙間がなく、また前記ローラーが前記スライドガイドチャンバの上下両側内壁と当接しており、前記スライドガイドロッドには前記挟み装置が設置され、前記挟み装置は前記スライドガイドチャンバの中にスライドできるように設置された挟みブロックを含み、前記挟みブロックの中にはスライドガイド孔が上下に貫通するように設置され、前記スライドガイドロッドと前記ローラーとが前記スライドガイド孔を通し抜け、前記ローラーの左右両端がそれぞれ前記スライドガイド孔の左右両側内壁と当接しており、前記挟みブロックの中には向かい合って開口した挟み溝が設置され、前記挟み溝の内壁の中には保護膜が固定的に設置され、前記挟みブロックの上端と前記スライドガイドチャンバの上側内壁との間にはサブばねが固定的に連結され、前記挟みブロックの下端と前記スライドガイドチャンバの下側内壁との間には緩衝ばねが固定的に連結された。
【０００６】
さらなる技術プランには、前記伸縮装置は前記収納チャンバの下側の左右両側内壁の間に固定的に連結された固定軸を含み、前記固定軸には揺動ロッドが回転できるように連結され、前記揺動ロッドの中には固定軸穴が左右に貫通するように設置され、前記固定軸が前記固定軸穴を通し抜け、前記揺動ロッドの中には連結溝が上下に貫通しており、且つその開口が前記固定軸から離れるように設置され、前記連結溝の左右両側内壁の間には回転軸が回転できるように連結され、前記回転軸には連結ロッドが回転できるように連結され、前記連結ロッドの中には回転軸穴が左右に貫通するように設置され、前記回転軸が前記回転軸穴を通し抜け、前記連結溝の左右両側内壁と前記連結ロッドの左右両端との間にはトーションばねが固定的に連結され、前記連結ロッドの中には伸縮チャンバが設置され、前記伸縮チャンバのうち前記回転軸から離れている側の内壁の中には位置制限穴が連通するように設置され、前記位置制限穴の後裏側内壁の中には延伸溝が連通するように設置され、前記延伸溝が前記連結ロッドに上下に貫通しており、且つ前記延伸溝の開口が前記伸縮チャンバから離れており、前記伸縮チャンバの中には位置制限ブロックがスライドできるように設置され、前記位置制限ブロックの後端には伸縮ロッドが固定的に連結され、前記伸縮ロッドが前記位置制限穴を通し抜け、前記伸縮ロッドの中には上下に貫通しており、且つ開口が前記伸縮チャンバから離れている揺動溝が設置され、前記揺動溝の左右両側内壁の間には揺動軸が固定的に連結され、前記揺動軸には支持ロッドが回転できるように連結され、前記支持ロッドの中には左右に貫通している揺動軸穴が設置され、前記揺動軸が前記揺動軸穴を通し抜け、前記支持ロッドの上端が前記収納チャンバの中に伸びており、且つ前記振動抑え装置に連結された。
【０００７】
さらなる技術プランには、前記振動抑え装置は前記収納チャンバの左右両側内壁の中に左右対称的に、且つ連通するように設置された振動抑えチャンバを含み、前記振動抑えチャンバの上下両側内壁の間にはガイドロッドが固定的に連結され、前記ガイドロッドの間には振動抑えロッドがスライドできるように連結され、前記振動抑えロッドの中にはガイド穴が上下に貫通するように設置され、前記ガイドロッドが前記ガイド穴を通し抜け、前記振動抑えチャンバの下側内壁と前記ガイド穴の下端との間には振動抑えばねが固定的に連結され、前記支持ロッドの上端が前記振動抑えロッドに回転できるように連結され、前記支持ロッドの中には振動抑えロッドチャンバが左右に貫通するように設置され、前記振動抑えロッドが前記振動抑えロッドチャンバを通し抜けている。
【０００８】
さらなる技術プランには、前記スタンドの下端には大摩擦パッドが固定的に連結され、前記大摩擦パッドの中には上方へ開口しており、且つ左右両側に貫通している保護溝が設置され、前記支持ロッドの下端には小摩擦パッドが固定的に連結され、前記大摩擦パッドの摩擦係数が前記小摩擦パッドの摩擦係数より大きい。
【発明の効果】
【０００９】
有益な効果は：本発明は構造が簡単であり、操作が便利であり、スタンドを使って携帯電話を支持する時、携帯電話をスタンドできつく挟んだ後にスタンドを平面に置き、ばねによって振幅を減らし、携帯電話がひどく振動することで使用に影響することを避け、本発明の装置は携帯電話をぶつけないように保護できるだけではなく、振幅の大小によって二つの方法を通して振動を抑えることができ、また横倒しも防止できる。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の振動防止のスマホスタンドの内部構造略図
【図２】図２は図１の「Ａ―Ａ」方向の構造略図
【図３】図３は図１の「Ｂ―Ｂ」方向の構造略図
【図４】図４は図３の「Ｃ―Ｃ」方向の構造略図
【図５】図５は図３の「Ｄ」の拡大略図
【図６】図６は図３の「Ｅ―Ｅ」方向の構造略図
【発明を実施するための形態】
【００１２】
図１〜６に示すように、本発明の振動防止のスマホスタンドは、左右対称的に設置されたスタンド１１を含み、右側の前記スタンド１１の中にはねじ孔１２が貫通するように設置され、前記ねじ孔１２の中にはスクリュー１３がネジ山によって連結され、前記スクリュー１３の左端が左側の前記スタンド１１に回転できるように連結され、前記スクリュー１３の右端が前記ねじ孔１２を通し抜け、また前記スクリュー１３の右端には回転ブロック１４が固定的に連結され、前記スタンド１１のうち対称中心から離れている端面には支持ブロック１５が固定的に設置され、前記支持ブロック１５の中にはスライドガイド装置１００と挟み装置１０１とが設置され、前記スタンド１１の中には後方に開口した収納チャンバ２４が設置され、前記収納チャンバ２４の中には伸縮装置１０２が設置され、前記収納チャンバ２４の左右両側内壁の中には振動抑え装置１０３が設置され、前記スライドガイド装置１００は前記支持ブロック１５の中に設置され、且つ向かい合って開口したスライドガイドチャンバ１６を含み、前記スライドガイドチャンバ１６の上下両側内壁の間には二本のスライドガイドロッド１７が固定的に連結され、二本の前記スライドガイドロッド１７の間には十三個のローラー２０が排列され、且つ回転できるように設置され、前記ローラー２０の間は隙間がなく、また前記ローラー２０が前記スライドガイドチャンバ１６の上下両側内壁と当接しており、前記スライドガイドロッド１７には前記挟み装置１０１が設置され、前記挟み装置１０１は前記スライドガイドチャンバ１６の中にスライドできるように設置された挟みブロック１８を含み、前記挟みブロック１８の中にはスライドガイド孔１９が上下に貫通するように設置され、前記スライドガイドロッド１７と前記ローラー２０とが前記スライドガイド孔１９を通し抜け、前記ローラー２０の左右両端がそれぞれ前記スライドガイド孔１９の左右両側内壁と当接しており、前記挟みブロック１８の中には向かい合って開口した挟み溝２１が設置され、前記挟み溝２１の内壁の中には保護膜２５が固定的に設置され、前記挟みブロック１８の上端と前記スライドガイドチャンバ１６の上側内壁との間にはサブばね５１が固定的に連結され、前記挟みブロック１８の下端と前記スライドガイドチャンバ１６の下側内壁との間には緩衝ばね２２が固定的に連結された。
【００１３】
有益的には、前記伸縮装置１０２は前記収納チャンバ２４の下側の左右両側内壁の間に固定的に連結された固定軸３３を含み、前記固定軸３３には揺動ロッド３４が回転できるように連結され、前記揺動ロッド３４の中には固定軸穴３５が左右に貫通するように設置され、前記固定軸３３が前記固定軸穴３５を通し抜け、前記揺動ロッド３４の中には連結溝３６が上下に貫通しており、且つその開口が前記固定軸３３から離れるように設置され、前記連結溝３６の左右両側内壁の間には回転軸３７が回転できるように連結され、前記回転軸３７には連結ロッド３９が回転できるように連結され、前記連結ロッド３９の中には回転軸穴３８が左右に貫通するように設置され、前記回転軸３７が前記回転軸穴３８を通し抜け、前記連結溝３６の左右両側内壁と前記連結ロッド３９の左右両端との間にはトーションばね５０が固定的に連結され、前記連結ロッド３９の中には伸縮チャンバ４１が設置され、前記伸縮チャンバ４１のうち前記回転軸３７から離れている側の内壁の中には位置制限穴４４が連通するように設置され、前記位置制限穴４４の後裏側内壁の中には延伸溝４５が連通するように設置され、前記延伸溝４５が前記連結ロッド３９に上下に貫通しており、且つ前記延伸溝４５の開口が前記伸縮チャンバ４１から離れており、前記伸縮チャンバ４１の中には位置制限ブロック４２がスライドできるように設置され、前記位置制限ブロック４２の後端には伸縮ロッド４３が固定的に連結され、前記伸縮ロッド４３が前記位置制限穴４４を通し抜け、前記伸縮ロッド４３の中には上下に貫通しており、且つ開口が前記伸縮チャンバ４１から離れている揺動溝４６が設置され、前記揺動溝４６の左右両側内壁の間には揺動軸４８が固定的に連結され、前記揺動軸４８には支持ロッド３０が回転できるように連結され、前記支持ロッド３０の中には左右に貫通している揺動軸穴４７が設置され、前記揺動軸４８が前記揺動軸穴４７を通し抜け、前記支持ロッド３０の上端が前記収納チャンバ２４の中に伸びており、且つ前記振動抑え装置１０３に連結された。
【００１４】
有益的には、前記振動抑え装置１０３は前記収納チャンバ２４の左右両側内壁の中に左右対称的に、且つ連通するように設置された振動抑えチャンバ２７を含み、前記振動抑えチャンバ２７の上下両側内壁の間にはガイドロッド２９が固定的に連結され、前記ガイドロッド２９の間には振動抑えロッド３１がスライドできるように連結され、前記振動抑えロッド３１の中にはガイド穴４０が上下に貫通するように設置され、前記ガイドロッド２９が前記ガイド穴４０を通し抜け、前記振動抑えチャンバ２７の下側内壁と前記ガイド穴４０の下端との間には振動抑えばね２８が固定的に連結され、前記支持ロッド３０の上端が前記振動抑えロッド３１に回転できるように連結され、前記支持ロッド３０の中には振動抑えロッドチャンバ３２が左右に貫通するように設置され、前記振動抑えロッド３１が前記振動抑えロッドチャンバ３２を通し抜けている。
【００１５】
有益的には、前記スタンド１１の下端には大摩擦パッド２３が固定的に連結され、前記大摩擦パッド２３の中には上方へ開口しており、且つ左右両側に貫通している保護溝２６が設置され、前記支持ロッド３０の下端には小摩擦パッド４９が固定的に連結され、前記大摩擦パッド２３の摩擦係数が前記小摩擦パッド４９の摩擦係数より大きい。
【００１６】
使う時、携帯電話を挟み溝２１の間に置き、回転ブロック１４を回転させ、それによりスクリュー１３を回転連動させ、それによりスタンド１１を連動させて互いに近づかせ、且つ携帯電話をきつく挟み、保護膜２５によって携帯電話を壊すことを避け、支持ロッド３０を揺れ動かし、それにより連結ロッド３９と揺動ロッド３４とを回転連動させ、それにより振動抑えロッド３１を下方へスライドさせ、揺動ロッド３４と連結ロッド３９とが同じレベルに位置している時、振動抑えばね２８が正常状態にあり、この時に大摩擦パッド２３と小摩擦パッド４９とによって振動抑えばね２８を平面に置き、またスタンド１１を支持し、振動が起こる時、挟みブロック１８がローラー２０のスライドガイドの作用の下でスライドし、挟みブロック１８がスライドする時に弾力性がなくて携帯電話をぶつけることを避け、緩衝ばね２２とサブばね５１との弾性の作用の下で携帯電話を繰り返してスライドさせることができ、振幅の一部分を消し、振幅が大すぎる時、保護溝２６によって携帯電話が平面にぶつかることから保護することができ、同時に小摩擦パッド４９が大摩擦パッド２３より速く平面から離れ、この時に支持ロッド３０が振動抑えロッドを下方へスライド連動させ、また振動抑えばね２８を圧縮し、同時に支持ロッド３０が伸縮ロッド４３と位置制限ブロック４２とを引き動かし、小摩擦パッド４９を始終に平面に接触させ、横倒しを避ける。
【００１７】
有益な効果は：本発明は構造が簡単であり、操作が便利であり、スタンドを使って携帯電話を支持する時、携帯電話をスタンドできつく挟んだ後にスタンドを平面に置き、ばねによって振幅を減らし、携帯電話がひどく振動することで使用に影響することを避け、本発明の装置は携帯電話をぶつけないように保護できるだけではなく、振幅の大小によって二つの方法を通して振動を抑えることができ、また横倒しも防止できる。
【００１８】
本分野の技術者は、本発明の総体的な精神及び構想を脱しない場合、以上の実施例に対して様々な変形を行うことができるということを明らかにできる。それらは全部本発明の保護範囲にカバーされる。本発明の保護策は本発明に添付した権利要求書を基準とするべきである。
【図１】
2020178332.tif 000003
【図２】
2020178332.tif 000004
【図３】
2020178332.tif 000005
【図４】
2020178332.tif 000006
【図５】
2020178332.tif 000007
【図６】
2020178332.tif 000008
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
正面視で、左右対称的に設置されたスタンドを含み、右側の前記スタンドの中にはねじ孔が貫通するように設置され、前記ねじ孔の中にはスクリューがネジ山によって連結され、前記スクリューの左端が左側の前記スタンドに回転できるように連結され、前記スクリューの右端が前記ねじ孔を通し抜け、また前記スクリューの右端には回転ブロックが固定的に連結され、前記スタンドのうち対称中心から離れている端面には支持ブロックが固定的に設置され、前記支持ブロックの中にはスライドガイド装置と挟み装置とが設置され、前記スタンドの中には後方に開口した収納チャンバが設置され、前記収納チャンバの中には伸縮装置が設置され、前記収納チャンバの左右両側内壁の中には振動抑え装置が設置され、前記スライドガイド装置は前記支持ブロックの中に設置され、且つ向かい合って開口したスライドガイドチャンバを含み、前記スライドガイドチャンバの上下両側内壁の間には二本のスライドガイドロッドが固定的に連結され、二本の前記スライドガイドロッドの間には十三個のローラーが排列され、且つ回転できるように設置され、前記ローラーの間は隙間がなく、また前記ローラーが前記スライドガイドチャンバの上下両側内壁と当接しており、前記スライドガイドロッドには前記挟み装置が設置され、前記挟み装置は前記スライドガイドチャンバの中にスライドできるように設置された挟みブロックを含み、前記挟みブロックの中にはスライドガイド孔が上下に貫通するように設置され、前記スライドガイドロッドと前記ローラーとが前記スライドガイド孔を通し抜け、前記ローラーの左右両端がそれぞれ前記スライドガイド孔の左右両側内壁と当接しており、前記挟みブロックの中には向かい合って開口した挟み溝が設置され、前記挟み溝の内壁の中には保護膜が固定的に設置され、前記挟みブロックの上端と前記スライドガイドチャンバの上側内壁との間にはサブばねが固定的に連結され、前記挟みブロックの下端と前記スライドガイドチャンバの下側内壁との間には緩衝ばねが固定的に連結され、 
前記伸縮装置は前記収納チャンバの下側の左右両側内壁の間に固定的に連結された固定軸を含み、前記固定軸には揺動ロッドが回転できるように連結され、前記揺動ロッドの中には固定軸穴が左右に貫通するように設置され、前記固定軸が前記固定軸穴を通し抜け、前記揺動ロッドの中には連結溝が上下に貫通しており、且つその開口が前記固定軸から離れるように設置され、前記連結溝の左右両側内壁の間には回転軸が回転できるように連結され、前記回転軸には連結ロッドが回転できるように連結され、前記連結ロッドの中には回転軸穴が左右に貫通するように設置され、前記回転軸が前記回転軸穴を通し抜け、前記連結溝の左右両側内壁と前記連結ロッドの左右両端との間にはトーションばねが固定的に連結され、前記連結ロッドの中には伸縮チャンバが設置され、前記伸縮チャンバのうち前記回転軸から離れている側の内壁の中には位置制限穴が連通するように設置され、前記位置制限穴の後裏側内壁の中には延伸溝が連通するように設置され、前記延伸溝が前記連結ロッドに上下に貫通しており、且つ前記延伸溝の開口が前記伸縮チャンバから離れており、前記伸縮チャンバの中には位置制限ブロックがスライドできるように設置され、前記位置制限ブロックの後端には伸縮ロッドが固定的に連結され、前記伸縮ロッドが前記位置制限穴を通し抜け、前記伸縮ロッドの中には上下に貫通しており、且つ開口が前記伸縮チャンバから離れている揺動溝が設置され、前記揺動溝の左右両側内壁の間には揺動軸が固定的に連結され、前記揺動軸には支持ロッドが回転できるように連結され、前記支持ロッドの中には左右に貫通している揺動軸穴が設置され、前記揺動軸が前記揺動軸穴を通し抜け、前記支持ロッドの上端が前記収納チャンバの中に伸びており、且つ前記振動抑え装置に連結され、
前記振動抑え装置は前記収納チャンバの左右両側内壁の中に左右対称的に、且つ連通するように設置された振動抑えチャンバを含み、前記振動抑えチャンバの上下両側内壁の間にはガイドロッドが固定的に連結され、前記ガイドロッドの間には振動抑えロッドがスライドできるように連結され、前記振動抑えロッドの中にはガイド穴が上下に貫通するように設置され、前記ガイドロッドが前記ガイド穴を通し抜け、前記振動抑えチャンバの下側内壁と前記ガイド穴の下端との間には振動抑えばねが固定的に連結され、前記支持ロッドの上端が前記振動抑えロッドに回転できるように連結され、前記支持ロッドの中には振動抑えロッドチャンバが左右に貫通するように設置され、前記振動抑えロッドが前記振動抑えロッドチャンバを通し抜けていることを特徴とする振動防止のスマホスタンド。
【請求項２】
前記スタンドの下端には大摩擦パッドが固定的に連結され、前記大摩擦パッドの中には上方へ開口しており、且つ左右両側に貫通している保護溝が設置され、前記支持ロッドの下端には小摩擦パッドが固定的に連結され、前記大摩擦パッドの摩擦係数が前記小摩擦パッドの摩擦係数より大きいことを特徴とする請求項１に記載の振動防止のスマホスタンド。